(57)【要約】【課題】魚へのアピール性に優れた疑似餌２の提供。【解決手段】疑似餌２は、ヘッド４、ラインアイ６、装着部８、フック１０、スカート１２及びネクタイ１４を備えている。装着部８は、ヘッド４の前端に位置している。装着部８は板状である。装着部８の後端は、ヘッド４に埋め込まれており、ヘッド４に堅固に固定されている。装着部８の幅方向は、ヘッド４の幅方向と一致している。装着部８の下面は、当接面である。当接面１６の延在方向は、ヘッド４の幅方向と一致している。ネクタイ１４は、帯状である。ネクタイ１４の中央近傍は、ゴムバンド２６によって装着部８に固定されている。ネクタイ１４は、装着部８の当接面１６と当接している。当接面１６が幅方向に延在しているので、ネクタイ１４の幅方向はヘッド４の幅方向と一致している。このネクタイ１４は、広い面積で水圧を受け、よくたなびく。【選択図】図２
2008113582.tif 000002
【特許請求の範囲】
【請求項１】
高比重材料からなるヘッド、このヘッドに取り付けられた装着部及びこの装着部に装着された帯状のネクタイを備えており、
この装着部が、ネクタイと当接する当接面を備えており、
この当接面の延在方向がヘッドの幅方向と一致している疑似餌。
【請求項２】
上記装着部が板状であり、この装着部の幅方向がヘッドの幅方向と一致している請求項１に記載の疑似餌。
【請求項３】
上記装着部が、複数の線材が並列されることで形成されており、これら線材の並列方向がヘッドの幅方向と一致している請求項１に記載の疑似餌。
【発明の詳細な説明】
【技術分野】
【０００１】
本発明は、釣りに用いられる疑似餌に関する。詳細には、本発明は、ヘッドとネクタイとを備えた疑似餌に関する。
【背景技術】
【０００２】
カブラと称される疑似餌を用いて、鯛釣りが行われている。この疑似餌は、金属製のヘッドを備えている。この疑似餌は、ラインが結ばれた状態で、海底に沈められる。ラインが引かれて疑似餌が海水中を上昇すると、この疑似餌を生きた餌と勘違いした鯛が疑似餌に食いつく。疑似餌に装着されたフックが鯛に刺さり、鯛が釣り上げられる。
【０００３】
カブラによる鯛釣りは、漁業としては、古くから日本各地で行われている。職業漁師は、ヘッドにワカメ、ビニール紐等を装着し、鯛へのアピール性を高めている。近年、ヘッドにゴム製で帯状であるネクタイが装着されるようになった。このネクタイは、鯛へのアピール性に寄与する。この疑似餌を用いることで、初心者でも比較的簡単に鯛を釣り上げることができる。この疑似餌は、ゲームフィッシングの用具として認知され、普及しつつある。
【発明の開示】
【発明が解決しようとする課題】
【０００４】
鯛へのアピール性の観点から、ネクタイが水中で十分にはためく必要がある。従来の疑似餌では、このはためきが不十分である。鯛へのアピール性に優れた疑似餌が望まれている。本発明の目的は、魚へのアピール性に優れた疑似餌の提供にある。
【課題を解決するための手段】
【０００５】
本発明に係る疑似餌は、
（１）高比重材料からなるヘッド、
（２）このヘッドに取り付けられた装着部
及び
（３）この装着部に装着された帯状のネクタイ
を備える。この装着部は、ネクタイと当接する当接面を備える。この当接面の延在方向は、ヘッドの幅方向と一致している。
【０００６】
好ましい装着部は、板状である。この装着部の幅方向は、ヘッドの幅方向と一致する。
【０００７】
装着部が、複数の線材が並列されることで形成されてもよい。これら線材の並列方向は、ヘッドの幅方向と一致する。
【発明の効果】
【０００８】
本発明に係る疑似餌では、ネクタイと当接する当接面がヘッドの幅方向と一致しているので、ネクタイの幅方向もヘッドの幅方向と位置する。海水中でラインが引かれたとき、このネクタイは、広い面で水圧を受けてはためく。はためきの程度は大きい。この疑似餌は、魚へのアピール性に優れる。
【発明を実施するための最良の形態】
【０００９】
以下、適宜図面が参照されつつ、好ましい実施形態に基づいて本発明が詳細に説明される。
【００１０】
図１は、本発明の一実施形態に係る疑似餌２が示された側面図である。図２は、図１の疑似餌２の一部が示された拡大平面図である。図３は、図２のIII−III線に沿った拡大断面図である。この疑似餌２は、カブラと称される。この疑似餌２は、ヘッド４、ラインアイ６、装着部８、フック１０、スカート１２及びネクタイ１４を備えている。図２では、フック１０及びスカート１２の図示が省略されている。
【００１１】
ヘッド４は、海水よりも高比重な材料からなる。従って、ヘッド４は海水に沈む。ヘッド４の典型的な材質は、鉛又は鉛合金である。ヘッド４が、タングステン又はタングステン合金を主成分として含んでもよい。ヘッド４の質量は、１０ｇから１５０ｇ、特には２０ｇから１００ｇである。ヘッド４は、流線型である。従って、ヘッド４が単体で水中を落下するとき、腹が下方を向く。
【００１２】
ラインアイ６は、ヘッド４の後端に位置している。ラインアイ６は、金属線が曲げられて形成されている。金属線の端は、ヘッド４に埋め込まれており、ヘッド４に堅固に固定されている。ヘッド４から露出したラインアイ６は、リング状を呈している。
【００１３】
装着部８は、ヘッド４の前端に位置している。装着部８は、金属材料からなる。装着部８の後端は、ヘッド４に埋め込まれており、ヘッド４に堅固に固定されている。ヘッド４に断面形状が矩形の孔が形成され、この孔に装着部８が遊嵌されてもよい。図３から明らかなように、装着部８は板状である。図３における左右方向は、疑似餌２の幅方向である。この幅方向は、ラインアイ６とフック１０アイとを結ぶ方向と直交しており、ヘッド４が水中を落下するときの落下方向とも直交している。装着部８の幅方向は、ヘッド４の幅方向と一致している。
【００１４】
装着部８の下面１６は、当接面と称される。当接面１６は、図３の左右方向に延在している。換言すれば、当接面１６の延在方向は、ヘッド４の幅方向と一致している。装着部８は、前端近傍に、フックアイ１８を備えている。このフックアイ１８は、金属板が打ち抜かれることで形成されている。
【００１５】
フック１０は、本体２０及び鉤素２２からなる。本体２０は、金属材料からなる。鉤素２２は、柔軟な材料からなる。鉤素２２の典型的な材質は、アラミド繊維（登録商標「ケブラー」）である。鉤素２２は、フックアイ１８に結ばれている。
【００１６】
スカート１２は、多数のゴム糸２４からなる。このゴム糸２４のセンター近傍は、ゴムバンド２６によって装着部８に固定されている。図１及び３から明らかなように、ゴム糸２４は装着部８の上面と当接している。ゴム糸２４は、柔軟である。水圧を受けたとき、ゴム糸２４は揺らめいて、鯛にアピールする。このスカート１２は、ブラックバスフィッシングに用いられるラバージグに類似の構造を有している。スカート１２が、合成樹脂製の紐からなってもよい。スカート１２が設けられなくてもよい。
【００１７】
ネクタイ１４は、帯状である。ネクタイ１４は、ゴム又は軟質な合成樹脂からなる。このネクタイ１４の中央近傍は、ゴムバンド２６によって装着部８に固定されている。この装着部８から下方に向かって、ネクタイ１４が延びている。図１及び３から明らかなように、ネクタイ１４は装着部８の当接面１６と当接している。当接面１６が幅方向に延在しているので、ネクタイ１４の幅方向はヘッド４の幅方向と一致している。
【００１８】
図４は、図１の疑似餌２の使用状態が示された説明図である。この図４の左右方向は、疑似餌２の幅方向である。図４には、ラインアイ６に結ばれたライン２８が引かれることにより海水中を上昇する疑似餌２が示されている。
【００１９】
ライン２８が引かれることで、ネクタイ１４は図３の紙面に対して垂直方向に水圧を受ける。前述の通り、ネクタイ１４の幅方向はヘッド４の幅方向なので、ネクタイ１４は広い面積で水圧を受ける。従って、ネクタイ１４のはためきの程度は大きい。このネクタイ１４は、鯛に強くアピールする。鯛は、ネクタイ１４をゴカイ、イソメ等の多毛類と勘違いし、疑似餌２に食いつく。フック１０の本体２０が鯛に突き刺さり、鯛が釣り上げられる。この疑似餌２のヒット率は、従来の疑似餌のヒット率よりも高い。
【００２０】
図５は、本発明の他の実施形態に係る疑似餌３０の一部が示された平面図である。この疑似餌３０は、ヘッド３２及び装着部３４を備えている。ヘッド３２の形状及び材質は、図１に示された疑似餌２のヘッド４のそれと同等である。図示されていないが、この疑似餌３０は、図１に示された疑似餌４と同様に、ラインアイ、フック及びスカートを備えている。
【００２１】
装着部３４は、ヘッド３２の前端に位置している。装着部３４は、金属製の線材３６が曲げられて形成されている。装着部３４は、直線部３８と、リング状のフックアイ４０とからなる。直線部３８では、２本の線材３６が並列されている。直線部３８の端は、ヘッド３２に埋め込まれており、ヘッド３２に堅固に固定されている。フックアイ４０には、フックが装着される。
【００２２】
図６は、図５のVI−VI線に沿った拡大断面図である。図６における左右方向は、ヘッド３２の幅方向である。直線部３８の下面は、当接面と称される。２本の線材３６は、ヘッド３２の幅方向に並列されている。換言すれば、並列方向がこの幅方向と一致している。従って、当接面の延在方向もこの幅方向と一致している。
【００２３】
この疑似餌３０は、ネクタイ４２も備えている。このネクタイ４２の構造は、図１に示された疑似餌２のネクタイ１４のそれと同等である。このネクタイ４２の中央近傍は、ゴムバンド４４によって装着部３４に固定されている。図６から明らかなように、ネクタイ４２は直線部３８の下面（当接面）と当接している。当接面が幅方向に延在しているので、ネクタイ４２の幅方向はヘッド３２の幅方向と一致している。
【００２４】
ラインが引かれることで、ネクタイ４２は水圧を受ける。前述の通り、ネクタイ４２の幅方向はヘッド３２の幅方向なので、ネクタイ４２は広い面積で水圧を受ける。従って、ネクタイ４２のはためきの程度は大きい。このネクタイ４２は、鯛に強くアピールする。この疑似餌３０のヒット率は、従来の疑似餌のヒット率よりも高い。
【００２５】
当接面の構造は、以上説明された構造に限られない。その延在方向がヘッドの幅方向と一致する種々の当接面が採用されうる。
【産業上の利用可能性】
【００２６】
本発明に係る疑似餌は、鯛のみならず、太刀魚、ヒラメ等の種々の魚をターゲットにした釣りに適している。
【図面の簡単な説明】
【００２７】
【図１】図１は、本発明の一実施形態に係る疑似餌が示された側面図である。
【図２】図２は、図１の疑似餌の一部が示された拡大平面図である。
【図３】図３は、図２のIII−III線に沿った拡大断面図である。
【図４】図４は、図１の疑似餌の使用状態が示された説明図である。
【図５】図５は、本発明の他の実施形態に係る疑似餌の一部が示された平面図である。
【図６】図６は、図５のVI−VI線に沿った拡大断面図である。
【符号の説明】
【００２８】
２、３０・・・疑似餌
４、３２・・・ヘッド
６・・・ラインアイ
８、３４・・・装着部
１０・・・フック
１２・・・スカート
１４、４２・・・ネクタイ
１６・・・当接面
１８、４０・・・フックアイ
２０・・・本体
２２・・・鉤素
２４・・・ゴム糸
２６、４４・・・ゴムバンド
２８・・・ライン
３６・・・線材
３８・・・直線部
【図１】
2008113582.tif 000003
【図２】
2008113582.tif 000004
【図３】
2008113582.tif 000005
【図４】
2008113582.tif 000006
【図５】
2008113582.tif 000007
【図６】
2008113582.tif 000008